(57)【特許請求の範囲】
【請求項１】
両端を開放した筒状外キャップ内に一端を閉塞した有底筒体状内キャップを連結固定し、外キャップと内キャップとの間に空間部を形成すると共に、内キャップに前記空間と連通する通気孔を形成し、外キャップの両端開口部と内キャップ内とを空気流通可能になしたキャップにおいて、前記通気孔上にリブを形成すると共に、そのリブに連接してガイドリブをキャップの開放側に形成したことを特徴とするキャップ。
【発明の詳細な説明】
【０００１】
【発明の属する技術分野】
本発明は、両端を開放した筒状外キャップ内に一端を閉塞した有底筒体状内キャップを連結固定し、外キャップと内キャップとの間に空間部を形成すると共に、内キャップに前記空間と連通する通気孔を形成し、外キャップの両端開口部と内キャップ内とを空気流通可能になしたキャップに関し、更に詳しくは、幼児等が誤って飲み込んでしまい咽喉に詰まらせた場合にも呼吸を確保し得るキャップに関する。
【０００２】
【従来の技術】
従来、幼児等が誤って飲み込んでしまい咽喉に詰まらせた場合にも呼吸を確保し得るキャップとして、外キャップと内キャップとで構成し、内キャップ又は外キャップと内キャップとの連結部に通気孔を形成し、外キャップと内キャップとの間の空間と通気孔を連通させ、空気流通路を確保してなるものがしられている。このような構造では、キャップの内壁に通気孔が形成されることが必須となる。
【０００３】
しかしながら、キャップの内壁に通気孔を形成することは新たに別の問題が発生する原因となった。即ち、ボールペンやフェルトペンなどの筆記具や、カッター、消しゴム容器、接着剤容器等、鞘としてのキャップを装着する本体の先部材が前記通気孔に没入するという問題があった。実開平７−０２１３９１号公報に記載の筆記具のキャップには、通気孔にペン先が没入することを防止するために通気孔の外キャップ開口側に内方突部を形成し、筆記具本体と装着する際にペン先が内方突出に当たり通気孔に没入しにくくしたものが示されている。
【０００４】
【発明が解決しようとする課題】
ペン先等の本体先部材が通気孔へ没入することを防ぐには上述の例が有効であるが、このようにすることは、合成樹脂の成形品とする上では問題を有するものであった。即ち、内方突出部は金型上アンダーカットとなり、成形条件の障害となリ得る。また、通気孔を有することはそもそも、金型の構造上成形時に樹脂の流れを分割する部分を形成するものであり、樹脂の不均一な流れや、溶融された樹脂が部分的に冷されることにより起こる所謂「ウェルド」や「フローマーク」と呼ばれる表面の凹凸や設計にないの模様が形成されてしまう可能性のあるものであった。
【０００５】
即ち、本発明は、基本的には実開平７−０２１３９１号公報に開示されている本体先部材の通気孔への没入防止構造を踏襲しつつ、更に合成樹脂の射出成形品として問題の発生しにくいキャップを得ることを目的とする。
【０００６】
【課題を解決するための手段】
即ち、本発明は、両端を開放した筒状外キャップ内に一端を閉塞した有底筒体状内キャップを連結固定し、外キャップと内キャップとの間に空間部を形成すると共に、内キャップに前記空間と連通する通気孔を形成し、外キャップの両端開口部と内キャップ内とを空気流通可能になしたキャップにおいて、前記通気孔上にリブを形成すると共に、そのリブに連接してガイドリブをキャップの開放側に形成したことを特徴とするキャップを要旨とする。
【０００７】
【実施例】
以下、図面に基づき一例について説明する。筆記具のキャップとしての一例を示してある。縦断面図として示してある筆記具のキャップは、両端を開放する外キャップ１と一端を閉塞した有底筒体である内キャップ２とからなっている。内キャップ２の開口部はそのまま外キャップ１との連結部３となっており、連結部３は開口側に向かって次第に拡開するロート状の環状傾斜部分になっている。外キャップ１と内キャップ２との間には隙間として空間部４が確保されている。外キャップの筆記具本体（図示せず）挿入孔近傍の内壁には筆記具本体と嵌合する嵌合突起５が形成されている。
【０００８】
図１のＩ−Ｉ’線断面要部拡大矢視図である図２にも示すように、内キャップ２内壁には、ペン先を気密保持するために筆記具本体と周状密接する周状突部６が形成されている。この周状突部６より開口側に前記空間部４と連通する通気孔７が形成されている。通気孔７は前記空間部４との関係で、全体としてキャップＡを咽喉に見立てたチューブに詰まらせた際に、チューブの両側の圧力差が１．３３ｋｐａのとき、毎分８リットル以上の空気が流通することが必要であるとされている。
【０００９】
また、図１のＩＩ−ＩＩ’線断面要部拡大矢視図である図３及び図１のＩＩＩ−ＩＩＩ’線断面要部拡大矢視図である図３にも示すように、連結部３にはペン先の移動方向を規制し、通気孔７にペン先が没入しないようにするためのガイドリブ８が複数形成されている。ガイドリブ８は通気孔７のキャップ開放側（ペン先挿入口側）にも配置させることが必要である。ここで、通気孔７のキャップ開放側に配置されたガイドリブ８と連続して、通気孔７の位置に通気孔７を分割するリブ９が形成されている。このリブ９は、合成樹脂の成形品としての樹脂の流れを均一にすると共にペン先の移動方向を規制する働きをも有している。また、連結部３上に形成されたガイドリブ８と連設していることからガイドリブ８を金型状アンダーカットとしなくても済むと共に、該部分における樹脂の流れに起伏が生じにくく、「ウェルド」や「フローマーク」が形成されても小さく、比較的均一な表面状態の成形品を得ることができるものである。尚、内キャップの閉塞された一端の外側には、合成樹脂の射出成形品としての、金型に溶融させた合成樹脂を流入させる口である、所謂ゲート口跡が位置するようになしてある。
【００１０】
図５に他の実施例を示す。基本的に図１〜図４の第１実施例と同様の部位には同じ参照符号を付してある。第１実施例と異なる点は、通気孔７状に形成されたリブ９が複数（図示のものでは２本）形成されていることと、ガイドリブ８とリブ９とをキャップ開口部に向かって次第に細くなるように連続したテーパー面１０を有するものとした点である。この様にすることによって、リブ８のキャップ開口側先端が本体の先部材であるペン先と衝突しにくくなり、ペン先の破損が極力抑制される。また、成形状、該部は金型内において溶融状態の合成樹脂が流れる路としては細い部分となり、合成樹脂が流れるスピードが早い部分となると共に、該部は保温された状態となり、通気孔７によって２方向に分かれた合成樹脂が合流する際に互いに相溶し易く、「ウェルド」や「フローマーク」が更に形成されにくくなるものである。
【００１１】
【発明の効果】
以上のように、本発明は、両端を開放した筒状外キャップ内に一端を閉塞した有底筒体状内キャップを連結固定し、外キャップと内キャップとの間に空間部を形成すると共に、内キャップに前記空間と連通する通気孔を形成し、外キャップの両端開口部と内キャップ内とを空気流通可能になしたキャップにおいて、前記通気孔上にリブを形成すると共に、そのリブに連接してガイドリブをキャップの開放側に形成したので、本体先部材の通気孔への没入を防止しつつ、更に合成樹脂の射出成形品として問題の発生しにくいキャップを得ることができるものである。
【図面の簡単な説明】
【図１】  一例を示す断面図。
【図２】  図１のもののＩ−Ｉ’線断面要部拡大矢視図。
【図３】  図１のもののＩＩ−ＩＩ’線断面要部拡大矢視図。
【図４】  図１のもののＩＩＩ−ＩＩＩ’線断面要部拡大矢視図。
【図５】  他の実施例を示す断面図。
【符号の説明】
１  外キャップ
２  内キャップ
３  連結部
４  空間部
５  嵌合突起
６  周状突部
７  通気孔
８  ガイドリブ
９  リブ
１０  テーパー面
【図１】
0003796864.tif 000002
【図２】
0003796864.tif 000003
【図３】
0003796864.tif 000004
【図４】
0003796864.tif 000005
【図５】
0003796864.tif 000006